(57)【要約】  本発明は、特にはドア用のモジュール式電動駆動システム（１００）のためのモジュールに関し、モジュール式システム（１００）は、モジュール式システム（１００）の長手軸（ＬＡ）に沿って直線状に並べて配置されたいくつかのモジュール（１００）が、駆動システム（２００）の機能グループ（１７０）を形成するように設計される。モジュール式システム（１００）は、長手軸（ＬＡ）に直交するモジュール（１００）の前面（１０１）上のいくつかのラッチ要素（１１０）、および／または前面（１０１）の反対側に位置しかつ長手軸（ＬＡ）に直交するモジュール（１００）の後面（１０２）上のラッチ要素（１１０）に対して相補的であるいくつかの受け入れ要素（１２０）を備え、受け入れ要素（１２０）は、前面（１０１）をモジュール（１００）の後面（１０２）に平行にして配置されるさらなるモジュール（１００）のラッチ要素（１１０）への機械的な接続を形成するように設計される。さらに、本発明は、特にはドア用のモジュール式電動駆動システム（２００）であって、モジュール式システム（１００）の長手軸（ＬＡ）に沿って直線状に並べて配置されたいくつかのモジュール（１００）が、特には本発明に従って駆動システム（２００）の機能グループ（１７０）を形成する駆動システム（２００）、ならびにドア、特には車両のドアを動かすための、駆動システム（２００）の使用に関する。さらに、本発明は、特にはドア用のモジュール式の電動式の特には本発明の駆動システム（２００）の製造方法（３００）に関する。【選択図】  図３ａ
2021501843.tif 000002
【特許請求の範囲】
【請求項１】
特にはドア用のモジュール式電動駆動システム（２００）であって、
ａ．いくつかのモジュール（１００）が、前記モジュール（１００）の長手軸（ＬＡ）に沿って直線状に並べて配置され、前記駆動システム（２００）の機能グループ（１７０）を形成し、
ｂ．前記モジュール（１００）の各々は、前記長手軸（ＬＡ）に直交する前面（１０１）上のいくつかのラッチ要素（１１０）、および／または前記前面（１０１）の反対側に位置しかつ前記長手軸（ＬＡ）に直交する後面（１０２）上の前記ラッチ要素（１１０）に対して相補的であるいくつかの受け入れ要素（１２０）を備え、
ｃ．第１のモジュール（１００）の前記ラッチ要素（１１０）が、前記長手軸（ＬＡ）に沿って前記第１のモジュール（１００）に隣接する第２のモジュール（１００）の前記受け入れ要素（１２０）と機械的な接続を形成する、
前記駆動システム（２００）であり、
ｄ．前記第１のモジュール（１００）の前記受け入れ要素（１２０）および前記第２のモジュール（１００）の前記ラッチ要素（１１０）は、前記長手軸（ＬＡ）に沿って確実に協働して、前記機械的な接続の緩みを防止するように設計され、
ｅ．前記ラッチ要素（１１０）および／または前記受け入れ要素（１２０）は、前記長手軸（ＬＡ）に沿った前記機械的な接続の緩みに抗する少なくとも１つのアンダーカットを備える、
ことを特徴とする駆動システム（２００）。
【請求項２】
前記ラッチ要素（１１０）は、いくつかのラッチ用ラグを備え、前記受け入れ要素（１２０）は、前記ラッチ用ラグに対して相補的ないくつかの凹部を備える、ことを特徴とする請求項１に記載の駆動システム（２００）。
【請求項３】
前記モジュール（１００）のうちの少なくとも１つが、前記機械的な接続を非破壊で切り離すための少なくとも１つの分離要素を備える、ことを特徴とする請求項１または２に記載の駆動システム（２００）。
【請求項４】
前記モジュール（１００）のうちの少なくとも１つが、前記モジュール（１００）の構成要素を受け入れるためのケージ（１５０）を備え、前記ケージ（１５０）は、好ましくは、前記ラッチ要素（１１０）および／または前記受け入れ要素（１２０）を備え、さらには／あるいは前記長手軸（ＬＡ）に沿って作用する力を吸収するように設計されている、ことを特徴とする請求項１〜３のいずれか一項に記載の駆動システム（２００）。
【請求項５】
前記モジュール（１００）のうちの少なくとも１つが、少なくとも１つの所定の破壊点（１６０）を備え、好ましくは、前記所定の破壊点（１６０）の破壊力は、前記モジュール（１００）を他のモジュール（１００）から切り離すために前記長手軸（ＬＡ）に沿って加えなければならない解放力よりも小さい、ことを特徴とする請求項１〜４のいずれか一項に記載の駆動システム（２００）。
【請求項６】
前記モジュール（１００）のうちの少なくとも１つが、好ましくは前記モジュール式の駆動システム（２００）のハウジング上に前記モジュール（１００）を前記長手軸（ＬＡ）を中心とする前記モジュール（１００）の回転に抗して固定するためのいくつかの回転防止要素（１８０）を備え、前記回転防止要素（１８０）は、好ましくはいくつかの溝および／または突起を備える、ことを特徴とする請求項１〜５のいずれか一項に記載の駆動システム（２００）。
【請求項７】
前記機能グループ（１７０）は、
ａ．モータ（１７１）、
ｂ．トランスミッション（１７２）、
ｃ．クラッチ（１７３）、
ｄ．ブレーキ（１７４）、
ｅ．ベアリング（１７５）、および
ｆ．ねじスピンドル（１７６）
から選択される、ことを特徴とする請求項１〜６のいずれか一項に記載の駆動システム（２００）。
【請求項８】
複数の前記モジュール（１００）、好ましくはすべてのモジュール（１００）が、前記ラッチ要素（１１０）および受け入れ要素（１２０）の形状および配置に関して互いに対応している、ことを特徴とする請求項１〜７のいずれか一項に記載の駆動システム（２００）。
【請求項９】
前記モジュール（１００）のうちの１つが、ねじスピンドル（１７６）およびベアリング（１７５）を備え、前記ベアリング（１７５）は、好ましくは、前記長手軸（ＬＡ）に沿って作用する力を吸収するように設計されている、ことを特徴とする請求項１〜８のいずれか一項に記載の駆動システム（２００）。
【請求項１０】
ドア、特には車両のドアを動かすための、請求項１〜９のいずれか一項に記載の駆動システム（２００）の使用。
【請求項１１】
特にはドア用の請求項１〜１０のいずれか一項に記載のモジュール式電動駆動システム（２００）の製造方法（３００）であって、
ａ．前記駆動システム（２００）用の前記モジュール（１００）を製造するステップ（３１０）と、
ｂ．前記個々のモジュール（１００）の機能を試験するステップ（３３０）と、
ｃ．前記試験（３３０）後の前記モジュール（１００）を組み立てて、前記駆動システム（２００）を形成するステップ（３４０）と
を少なくとも含む製造方法（３００）。
【請求項１２】
前記モジュール（１００）を前記製造（３１０）後かつ前記組み立て（３４０）前に、ある保管期間にわたってある保管温度で保管するステップ（３２０）
を特徴とし、
前記保管期間は、好ましくは少なくとも２４時間であり、かつ／または前記保管温度は、好ましくは前記モジュール（１００）の材料のガラス転移温度を上回る、
ことを特徴とする請求項１１に記載の製造方法（３００）。
【請求項１３】
前記試験（３３０）は、前記保管（３２０）の前または後に実行される、ことを特徴とする請求項１２に記載の製造方法（３００）。
【請求項１４】
前記組み立て（３４０）は、前記モジュール（１００）をプレロードすることを含む、ことを特徴とする請求項１１〜１３のいずれか一項に記載の製造方法（３００）。
【請求項１５】
前記駆動システム（２００）は、ドア、好ましくは車両のドアを動かすように設計される、ことを特徴とする請求項１１〜１４のいずれか一項に記載の製造方法（３００）。
【発明の詳細な説明】
【技術分野】
【０００１】
本発明は、特にはドア用のモジュール式電動駆動システムのためのモジュールであって、モジュールの長手軸に沿って直線状に並べて配置されたいくつかのモジュールによって駆動システムの機能グループを形成するように設計されたモジュールに関する。さらに、本発明は、特にはドア用のモジュール式電動駆動システムであって、モジュールの長手軸に沿って直線状に並べて配置されたいくつかのモジュールによって駆動システムの機能グループが形成される駆動システムに関する。さらに、本発明は、ドア、特には車両のドアを動かすための本発明による駆動システムの使用に関する。さらに、本発明は、特にはドア用のモジュール式電動駆動システムの製造方法に関する。
【背景技術】
【０００２】
例えばドア、特には車両のドアおよび車両のフラップを、特には電気機械的に制御するための駆動システムが、先行技術から知られている。電気モータの力が、例えばねじスピンドルを介して車両のドアへと伝達される。さらに、駆動システムは、例えば、車両のドア、とりわけ車両のドアへの駆動システムの接続要素を、過負荷から保護し、あるいは振動を低減するためのクラッチ、車両のドアを特定の位置に保持するためのブレーキ、伝達される力および速度を調整するためのトランスミッション、ならびに／あるいは駆動システムに加わる車両のドアによる力を吸収するためのベアリングを備えることができる。
【０００３】
一般的な駆動システムが、例えば独国特許出願公開第１０２０１４２１２８６３号明細書に記載されており、その教示は、特には段落［０００２］〜［０００６］が、ここに援用される。上記段落において、独国特許出願公開第１０２０１４２１２８６３号明細書は、高度な機能性および高いエネルギ効率を達成するために、一般的な駆動システムおよび特別に設計されたブレーキを開示している。
【０００４】
別の一般的な駆動システムが、欧州特許出願公開第１９４００１２号明細書に記載されており、その教示は、特には段落［０００２］〜［０００６］が、ここに援用される。駆動システムをコンパクトな構造にし、生じるノイズを小さくするために、欧州特許出願公開第１９４００１２号明細書は、上記段落において、一般的な駆動システムにヒステリシスブレーキを使用することを提案している。
【０００５】
別の一般的な駆動システムが、欧州特許第１６６４４７０号明細書に記載されており、その教示は、特には段落［０００２］〜［０００９］が、ここに援用される。欧州特許第１６６４４７０号明細書は、上記段落において、一般的な駆動システムと、駆動システムの構成要素の正確な取り付けならびに軸方向の案内および位置合わせによる全体的な体積の縮小とを開示している。
【０００６】
別の一般的な駆動システムが、米国特許出願公開第２０１３０１６９０８７号明細書に記載されており、その教示は、特には段落［０００２］〜［００１０］が、ここに援用される。米国特許出願公開第２０１３０１６９０８７号明細書は、上記段落において、一般的な駆動システム、および駆動システムへのブレーキの自動的かつ信頼性の高い接続のための純粋に機械的なクラッチを説明している。
【０００７】
用途の種類に応じて、例えば車両のドアの質量および／または開く方向ならびに／あるいは利用可能な設置体積に関して、例えば加えることができる開き力または達成することができる開き速度が相違するさまざまな駆動システムが必要とされる。したがって、製造業者は、多数の異なる駆動システムを維持しなければならず、これに費用および時間がかかる。駆動システムの組み込みまたは配送に先立つ種々の駆動システムの数に対応する多数の品質検査ルーチンは、きわめて複雑であり、標準化が難しいため、生産および品質保証のコストは高くなる。
【先行技術文献】
【特許文献】
【０００８】
【特許文献１】独国特許出願公開第１０２０１４２１２８６３号明細書
【特許文献２】欧州特許出願公開第１９４００１２号明細書
【特許文献３】欧州特許第１６６４４７０号明細書
【特許文献４】米国特許出願公開第２０１３０１６９０８７号明細書
【発明の概要】
【発明が解決しようとする課題】
【０００９】
したがって、本発明の目的は、例えばドア用であり、特には車両のドア用である安価に製造することができ、信頼性が高く、用途も広い電動駆動システムを生み出すことである。
【課題を解決するための手段】
【００１０】
本発明は、この目的を本発明に従って達成する請求項１の特徴による駆動システムのためのモジュールを提供する。この目的は、請求項９の特徴による駆動システムおよび請求項１２の特徴による製造方法によっても達成される。有利な実施形態が、従属請求項の主題である。
【００１１】
例えばドア用であり、特には車両のドア用であるモジュール式電動駆動システムのための本発明によるモジュールは、モジュールの長手軸に沿って直線状に並べて配置されるいくつかのモジュールによって、駆動システムの機能グループが形成されるように設計される。本発明の意味における「ドア」という用語は、技術的装置または建物のアクセス開口部を可逆的に閉じ、あるいは少なくとも部分的に覆うための任意の装置を包含する。人がアクセスするためのドアに加えて、「ドア」という用語は、例えば、積み込みおよび／または積み下ろし用の開口部ならびに／あるいは換気用の開口部におけるドアも含み、特には窓も含む。本発明の意味における「車両のドア」は、乗客が車両にアクセスするためのドアに加えて、例えばトランクリッドおよびボンネット、あるいはコーチのラゲッジフラップなどの開くことができる車両の他の表面部分も含む。本発明の目的において、用語「車両」は、特には陸上の乗り物、船舶、および航空機を含む。
【００１２】
使用中のドア、特に小型から大型までの系列にて生産される車両のドアなどの工業製品のドアの場合、モジュール式駆動システムには、モデルの安全性を生むという特段の利点を有する。例えば、自動車産業においてますます一般的になっているモデルチェンジに関して、モジュール式駆動システムにおいては、新しい車両のモデルに合わせた新しい駆動システムを、すでに試験および検査されたモジュールから組み立てることができる。このようにして、駆動システムの信頼性を高めつつ、開発時間およびコストが削減される。
【００１３】
駆動システムが実験装置の蓋などの産業機器のドア用として設計される場合、標準化されたモジュールによるモジュール式駆動システムは、例えば極端な温度、化学物質、および／または振動に対する駆動システムの耐性に関する特殊な要件も、有利に満たすことができる。この目的のために、異なる材料で作られた標準化されたモジュールを、用途に応じて使用することができる。
【００１４】
建物のドアまたは建物の窓、特には屋根窓を駆動するために使用される駆動システムは、通常は、車両の製造と比べて少数しか製造されない。モジュール式の駆動システムは、特には駆動システムのいくつかの異なる系列が同じモジュールで構成される場合に、小さな系列であってもコスト効率よく製造することができるという特段の利点を提供する。
【００１５】
駆動システムは、少なくとも１つの特には電気機械式のアクチュエータ、特にはガス圧力ばねである少なくとも１つのばね、および／または特には産業用ショックアブソーバである少なくとも１つのダンパを有することができる。
【００１６】
機能グループのモジュール式の構造は、少数の標準化されたモジュールを組み立てて、多数の用途に適合させることができるモジュール式のシステムを形成することができると同時に、個々のモジュールを別個に品質に関して試験できるという有利な効果を有する。本発明によるそのような機能グループのモジュール式の構造は、先行技術においては珍しいが、本発明による知識によれば、個々のモジュールのための標準化された検査工程を効率的に実行でき、それでもなおモジュールから組み立てられたモジュールシステムの機能について有効な結論を提供することができるため、きわめて有利である。さらに、機能エラーを個々のモジュールに帰すると特定することができるため、トラブルシューティングおよび／または不合格品の排除に必要な労力が軽減される。これは、製造コストおよび信頼性を同時に最適化する必要がある特には車両のドア用の電気機械式アクチュエータ、ばね、またはダンパなどの機能グループに特に当てはまる。
【００１７】
モジュール式の構造における課題は、正しい組み立ておよびモジュール式のシステムのモジュールの相互作用である。したがって、本発明によるモジュールは、長手軸に直交するモジュールの前面上のいくつかのラッチ要素、および／または前面の反対側に位置しかつ長手軸に直交するモジュールの後面上のラッチ要素に対して相補的であるいくつかの受け入れ要素を有することができる。受け入れ要素は、前面がモジュールの後面と平行になるように配置されたさらなるモジュールのラッチ要素との機械的接続を形成するように設計される。モジュールを、例えばモータからドアへと駆動力を確実に伝達するように、ラッチ要素と受け入れ要素とによって互いにしっかりと接続することができる。これにより、さまざまなモジュールをさまざまな方法で互いに組み合わせて、多用途で信頼性の高い駆動システムを形成することが可能になる。
【００１８】
例えば、ラッチ要素は、いくつかのラッチ用ラグであってよく、受け入れ要素は、ラッチ用ラグに対して相補的ないくつかの凹部を備えることができる。この構成により、簡単かつ安全な機械的接続が可能になる。
【００１９】
モジュールの受け入れ要素およびさらなるモジュールのロック要素を、長手軸に沿って積極的に協働して機械的接続の緩みを防止するように設計することができる。はまり合いの接続が、純粋な締まり嵌めの接続とは対照的に、ラッチ要素および／または受け入れ要素の化学的および／または地形学的な表面の品質に依存しないきわめて信頼性が高くかつ安定な接続を実現する。純粋な摩擦接続は、例えば、ラッチ要素と受け入れ要素との間の摩擦力が低すぎる場合に、接続の意図せぬ緩みにつながる可能性がある。接続の意図せぬ緩みまたは操作による緩みを防止することにより、駆動システムの信頼性が向上する。
【００２０】
ラッチ要素および受け入れ要素を、機械的な遊びを伴ってモジュールを互いに接続するように設計することができる。機械的な遊びにより、モジュール同士の組み立てがより容易になり、特にはラッチ要素の受け入れ要素へのはめ込みがより容易になる。
【００２１】
ラッチ要素および／または受け入れ要素は、特には、長手軸に沿った機械的接続の緩みに抗する少なくとも１つのロック要素を備えることができる。ロック要素は、例えば、ロック用ボルトとして設計されてよく、さらには／あるいはアンダーカットを備えることができる。例えば、ラッチ要素および受け入れ要素が互いに相補的なアンダーカットを含む場合、隣り合うモジュールを、ラッチ要素が受け入れ要素のアンダーカットと係合するまで、長手軸に沿って互いに押し合わせることができる。アンダーカットにより、ラッチ要素および／または受け入れ要素を破壊することなくモジュールを長手軸に沿って分離させることを、もはや不可能にすることができる。このようにして、モジュールのきわめて安定かつ信頼性の高い接続が実現される。さらに、接続が耐えることができる最大軸方向荷重を、ラッチ要素および受け入れ要素の材料特性および形状にのみ依存し、表面特性や潤滑剤の存在などの他の要因には依存しないため、確実に予測することができる。
【００２２】
モジュールは、機械的接続の非破壊での切り離しのための少なくとも１つの分離要素を含むことができる。分離要素を、例えば、ラッチ要素および受け入れ要素を長手軸に沿って互いに分離させることができるように、ラッチ要素および／または受け入れ要素を長手軸に対する半径方向に変形させるように構成することができる。最も単純な場合、分離要素は、例えば、ラッチ要素または受け入れ要素の外側の制御面を含むことができ、例えば長手軸へと向かう半径方向の力を制御面を介してラッチ要素または受け入れ要素へと伝達することができる。半径方向の力を、例えば手動で加えることができ、あるいはロボットによって加えることができる。分離要素を使用して、例えば駆動システムを変更された用途に合わせて変換し、あるいは不良のモジュールを交換するために、接続されたモジュールをそれらを破壊することなく互いに分離させることができる。これにより、駆動システムがきわめて多用途かつ耐久性の高いものになる。
【００２３】
モジュールは、モジュールの構成要素を受け入れるためのケージを備えることができる。ケージは、特には、ラッチ要素および／または受け入れ要素を備えることができ、さらには／あるいは長手軸に沿って作用する力を吸収するように設計されてよい。構成要素は、例えば、駆動システムの機能グループまたはその一部を含むことができる。構成要素は、特には長手軸に沿った機械的荷重に影響されやすいかもしれず、そのような機械的荷重に対して、ケージが構成要素を保護することができる。さらに、異なるモジュールは、同形のケージに異なるコンポーネントを含むことができる。結果として、これらのモジュールは、例えば駆動システムを異なる要件に適合させるためにきわめて容易に入れ換えることが可能である。ケージを、例えば、製造コストを下げるためのプラスチック、軽量かつ高い機械的安定性のための繊維強化プラスチック、あるいはとりわけ高い機械的安定性のための金属またはセラミックで製作することができる。
【００２４】
モジュールは、少なくとも１つの所定の破壊点を含むことができ、特には、所定の破壊点の破壊強度は、モジュールを他のモジュールから切り離すために加えなければならない長手軸に沿った緩め力よりも小さくてよい。所定の破壊点は、モジュールが互いに分離するよりも前にモジュールが定められた様相で壊れることを保証する。結果として、モジュールに作用する軸方向の許容力を正確に定めることができ、したがって駆動システムの信頼性が向上する。さらに、モジュールを駆動システムに接続された後に気づかれずに分離させることができないため、改ざんに対する安全性が向上する。所定の破壊点は、有利にはラッチ要素または受け入れ要素の領域に配置され、なぜならば、通常はそこで最も高い材料応力が生じ、したがって所定の破壊が生じる力のしきい値をより明確かつ確実に設定できるからである。
【００２５】
モジュールは、モジュールを、特にはモジュール式駆動システムのハウジング上で、長手軸を中心とするモジュールの回転運動に対して固定するためのいくつかの回転防止要素を有することができる。回転防止要素は、モジュールが制御されない様相で回転することを防止し、これは、例えばモジュールに接続されたモータまたはモジュールに接続されたブレーキの機能にとって重要である。モータまたはブレーキは、その一部が、例えばモジュールを介し、特にはモジュールのケージを介して、例えば駆動システムのハウジング上に動かぬように配置されている場合にのみ機能する。
【００２６】
回転防止要素は、特には、例えばハウジングの対応する突起および／または溝に係合するいくつかの溝および／または突起を備えることができ、モジュールの溝および／または突起は、例えばモジュール上、特にはモジュールのケージ上に、長手軸に対して周囲に配置されてよく、さらには／あるいは長手軸に平行に延びることができる。
【００２７】
機能グループは、例えばエンジン、トランスミッション、クラッチ、ブレーキ、ベアリング、およびねじスピンドルから選択される。機能グループは、駆動システムのコストを抑えるために、特には冒頭で述べた刊行物のうちの１つにおけるように、技術的に公知の方法で設計することができる。
【００２８】
例えばドア用であり、特には車両のドア用である本発明によるモジュール式電動駆動システムにおいて、モジュールの長手軸に沿って直線状に並べて配置される特には本発明によるいくつかのモジュールが、駆動システムの機能グループを形成する。
【００２９】
駆動システムのモジュールの各々は、長手軸に直交する前面上のいくつかのラッチ要素、および／または前面の反対側に位置しかつ長手軸に直交する後面上のラッチ要素に対して相補的であるいくつかの受け入れ要素を有することができ、第１のモジュールのラッチ要素が、長手軸に沿って第１のモジュールに隣接する第２のモジュールの受け入れ要素と機械的接続を形成する。これにより、本発明によるモジュールについて上述した設計の選択肢および利点がもたらされる。
【００３０】
駆動システムの複数のモジュール、好ましくはすべてのモジュールは、ラッチ要素および受け入れ要素の形状および配置に関して互いに一致することができる。結果として、モジュールをきわめて簡単な方法で相互に交換することができ、さらには／あるいは異なる順序で配置することができる。このようにして、例えば、駆動システムを、特には必要な動きの速度および／または力に関して、さまざまな要件に適合させることができる。
【００３１】
駆動システムのモジュールのうちの１つは、例えば、ねじスピンドルおよびベアリングを備えることができ、ベアリングは、好ましくは、長手軸に沿って作用する力を吸収するように設計される。駆動システムの動作時に、例えばトランクリッドの重量などの力が、長手軸に沿ってねじスピンドルを介して駆動システムに作用する可能性がある。トランスミッションなど、駆動システムの機能グループが、このような力によって損傷する可能性がある。したがって、これらの力を吸収するためのベアリングを設けることが有利である。特には、ベアリングが例えば共通のモジュール内でねじスピンドルに直接配置される場合、駆動のさらなる機能グループを効果的に保護することができる。これは、さらなる保護手段が必要とされず、他の機能グループをより自由に設計および配置することができ、したがって駆動システムの汎用性が向上することを意味する。
【００３２】
本発明は、ドア、特には車両のドアを動かすための本発明による駆動システムの使用を含む。本発明によれば、駆動システムを、例えばテーブルの高さを調整するなど、他の物体を動かすためにも使用することができる。
【００３３】
例えばドア用であり、特には車両のドア用である特には本発明によるモジュール式電動駆動システムのための本発明による製造方法は、以下のステップ、すなわち
ａ．駆動システム用のモジュールを製造するステップ、
ｂ．個々のモジュールの機能を試験するステップ、および
ｃ．試験後のモジュールを駆動システムへと組み立てるステップ
を少なくとも含む。
【００３４】
特には本発明によるモジュールの製造は、例えば、駆動システムの機能グループの通常の製造を含むことができる。機能グループを、有利には、モジュールのいくつかのケージに組み込むことができ、ケージは、例えば、特にはプラスチックから射出成形によって製造される。
【００３５】
製造は、モジュールのそれぞれの仕様および／または各々の個別のモジュールごとに異なるマークでモジュールにマーキングを施すことを含むことができる。マーキングは、特定の全体仕様を有する駆動システムを形成するように、適切なモジュールが組み合わせられることを保証する。さらに、マーキングにより、モジュールのトレーサビリティ、とりわけモジュールへの試験結果の明確な割り当てを可能にすることができる。マーキングは、例えば、カラーマーキング、英数字コード、バーコード、ＱＲコード（登録商標）、および／またはＲＦＩＤトランスポンダを含むことができる。
【００３６】
通常の製造方法では、駆動システムのモジュールを駆動システムへと組み込む前に有意義にテストすることは不可能である。これは、駆動システム内のモジュールによって形成された機能グループが、組み立て前とは異なる負荷、特には軸方向の負荷にさらされ、したがって試験結果が変わる可能性があるからである。対照的に、本発明によれば、機能グループが、例えば、モジュールが軸方向の力を吸収するためのケージを含むこと、および／または軸方向の力を吸収するためのベアリングが機能グループと駆動システムのねじスピンドルとの間に配置されることで、駆動システムにおける軸方向の力から切り離される。
【００３７】
モジュールが組み立ての前に試験される場合、利点は、仕様を満たさないモジュールを組み立ての前に破棄できることである。仕様を満たさない個々のモジュールに起因して駆動システム全体が不良となることがないため、無駄が減り、製造方法がコストおよび時間に関してより効率的になる。
【００３８】
試験は、例えば、レーザ走査などの光学的かつ特には自動的な測定方法を含むことができる。
【００３９】
製造方法は、製造後かつ組み立ての前に、モジュールをある時間期間にわたってある保管温度で保管することを含むことができる。保管期間は、有利には、不確定かつ／または調整可能であってよく、さらには／あるいは少なくとも２４時間であってよく、さらには／あるいは保管温度は、モジュールの材料のガラス転移温度よりも高くてよい。
【００４０】
モジュールが、組み立て前に、例えば２４時間を超える長さなど、特には長い時間期間にわたって保管される場合に、特にはモジュールを接続するためのラッチ要素および／または受け入れ要素が、モジュールの材料のクリープによって変形する可能性がある。この影響は、特には保管温度がモジュールの材料のガラス転移温度を超える場合に発生する可能性がある。これにより、組み立ての際にモジュールの確実な接続が妨げられる可能性がある。
【００４１】
しかしながら、特には未確定であり、調整可能であり、かつ／または２４時間を超える保管期間にわたってモジュールを保管することが、さまざまな要件に対応するモジュール式の駆動システムを多数のモジュールから組み立てることができるため有利である。これにより、製造方法の汎用性が向上する。
【００４２】
保管は、有利には、例えば保管温度をモジュールの材料のガラス転移温度未満に下げるためのコストおよびエネルギを節約するために、制御されていない周囲温度で実行される。本発明によれば、例えば、機械的接続の緩みに抗して長手軸に沿って積極的に協働するように設計された受け入れ要素およびラッチ要素によって、保管中に生じ得る変形にもかかわらず、モジュールの信頼できる接続を達成することができる。ラッチ要素および／または受け入れ要素は、特には、例えば少なくとも１つのアンダーカットなど、長手軸に沿った機械的接続の緩みに抗する少なくとも１つのロック要素を備えることができる。
【００４３】
試験を、保管前または保管後に実施することができる。保管前に試験を行うと、仕様に合わないモジュールによって保管空間が使用されることがなく、そのようなモジュールを後処理によって保管前に仕様に適合させることがおそらくは可能であるという利点が生じる。保管後に試験を実施する場合、これは、例えばクリープに起因した変形など、とりわけ未確定であり、調整可能であり、かつ／または２４時間を超える保管期間にわたる保管など、保管の最中に生じ得る変化も、試験において記録されるという利点を有する。
【００４４】
組み立ては、モジュールをプレロードすることを含むことができる。モジュールは、モジュールのプレロード、特には長手軸に沿って直線状に並べて配置されたモジュールの長手軸に沿った圧縮力により、互いに確実に接続される。特には、駆動システムの機能グループの機械的相互作用を妨げかねない長手軸に沿ったモジュール間の機械的遊びの発生が防止される。さらに、プレロードは、モジュールのラッチ要素および受け入れ要素が遊びを伴ってモジュールを接続するように設計されたモジュールを、確実に接続することもできる。軸方向の遊びを設けることにより、モジュールをより容易に組み立てることができる。遊びは、組み立てにとって望ましいが、組み立てられた機能グループに、軸方向の望ましくない程度の並進運動をもたらす。したがって、本発明によれば、機能グループおよび／またはモジュールからなるモジュール式のシステムの全体が、軸方向の圧力のもとにあり、かつ／または軸方向のリミッタによって保持されるため、遊びにもかかわらず、そのような動作時の構成においてモジュール間に軸方向の移動の自由度が存在しない。
【００４５】
この製造方法を使用して製造される駆動システムを、ドア、特には車両ドアを作動させるように設計することができる。
【００４６】
本発明のさらなる利点、目的、および特性が、本発明によるモジュール、駆動システム、および製造方法を特徴の典型的な組み合わせにて示す以下の説明および添付の図面を用いて説明される。図中のモジュールまたは駆動システムの構成要素のうち、機能に関して少なくとも本質的に一致する構成要素を、同じ参照番号によって識別することができ、それらの構成要素は、必ずしもすべての図においては番号が付けられず、あるいは説明されないかもしれない。
【図面の簡単な説明】
【００４７】
【図１】本発明によるモジュールの概略図を示している。
【図２】２つのモジュールの間の接続の概略の詳細図を示している。
【図３】本発明によるモジュールのケージの概略図を示している。
【図４】本発明によるモジュールのさらなるケージの概略図を示している。
【図５】本発明による駆動システムの概略図を示している。
【図６】本発明による製造方法の概略図を示している。
【図７】本発明による駆動システムの概略図を示している。
【発明を実施するための形態】
【００４８】
図１は、モジュール式駆動システムのための本発明によるモジュール１００の概略図を示している。モジュール１００は、モジュール１００の長手軸ＬＡに直交する前面１０１と、前面１０１の反対側の後面１０２とを備える。例えばロック用ラグなどの少なくとも１つのラッチ要素１１０が、前面１０１に配置されている。後面１０２には、ラッチ用ラグに対して相補的である凹部など、ラッチ要素１１０に対して相補的である少なくとも１つの受け入れ要素１２０が存在する。複数のモジュール１００を、長手軸ＬＡに沿って縦に直線的に並べ、例えば互いに挿入されるなど、ラッチ要素１１０および受け入れ要素１２０によって互いに機械的に接続することができる。
【００４９】
図示のモジュール１００は、長手軸ＬＡに沿って作用する力を受けるためのケージ１５０を備える。ケージ１５０は、駆動システムの少なくとも１つの機能グループまたはその部品（図示せず）を収容することができる。図示のモジュール１００は、例えば駆動システムのハウジング上に、例えば長手軸ＬＡに平行に延びる溝など、長手軸ＬＡを中心とする回転に抗してモジュール１００を固定するための回転防止要素１８０をさらに備える。ラッチ要素１１０、受け入れ要素１２０、および／または回転防止要素１８０は、ケージ１５０の一部であってよい。
【００５０】
図２は、２つのモジュール１００の間の接続の概略の詳細図を示している。第１のモジュール１００の受け入れ要素１２０が、突起の形態で示されており、これに対して、第２のモジュール１００のラッチ要素１１０が、係止フックの形態で位置する。ラッチ要素１１０および受け入れ要素１２０は、モジュール１００の長手軸ＬＡに平行なお互いに対する移動に関して、はまり合いの様相で相互作用するような方法で形作られている。
【００５１】
ラッチ要素１１０は、所定の破壊点１６０を備え、この所定の破壊点１６０は、この所定の破壊点１６０が破壊するときの長手軸に平行なロック要素１１０に作用する軸力ＡＫが、ラッチ要素１１０を受け入れ要素１２０から分離させるために必要な軸力よりも小さくなるように設計される。モジュール１００の接続は、長手軸に対して半径方向にラッチ要素１１０へと作用し、ラッチ要素１１０が受け入れ要素１１０から離れるように曲がることを防止する半径方向力ＲＫによって、さらに確実にされる。半径方向力ＲＫを、例えばラッチ要素１２０が駆動システムのハウジング（図示せず）に当接することで作用させることができる。
【００５２】
図３は、本発明によるモジュール１００のケージ１５０の概略図を示している。図３ａは、ケージ１５０の概略の側面図を示している。図示のケージ１５０は、長手軸ＬＡに直交する前面１０１に、アンダーカットＨＳをそれぞれが有するロック用フックの形態のいくつかのラッチ要素１１０を備える。前面１０１の反対側の後面１０２において、ケージ１５０は、やはりアンダーカットＨＳを有するラッチ要素１１０に対して相補的な凹部の形態のいくつかの受け入れ要素１２０を備える。アンダーカットＨＳは、長手軸ＬＡに沿った軸力に抗して、ケージ１５０を長手軸ＬＡに沿って互いにしっかりと保持する。
【００５３】
図示のケージ１５０は、長手軸ＬＡを中心とするケージ１５０の回転を防止するために例えば駆動装置のハウジング（図示せず）の突起を係合させることができる長手軸ＬＡに平行な切り込みの形態のいくつかの回転防止要素１８０を備える。
【００５４】
図３ｂおよび図３ｃは、図３ａのケージ１５０の概略の斜視図を示している。
【００５５】
図４は、本発明によるモジュール１００のさらなるケージ１５０の概略図を示している。図４ａは、ケージ１５０の概略の側面図を示している。図４ｂおよび図４ｃは、図４ａのケージ１５０の概略の斜視図を示している。
【００５６】
図４に示されているケージ１５０は、前面１０１にラッチ要素１１０を有していない点で、図３に示すケージ１５０から相違する。ラッチ要素１１０を欠くがゆえに、このようなケージ１５０を備えるモジュール１００は、長手軸ＬＡに沿った駆動システムのための直線的に接続されたモジュール１００の列の最初または最後に位置する末端モジュールとして特に好適である。例えば、モジュール１００によって保持されるものではない駆動システムのハウジング（図示せず）または別の機能グループ（図示せず）を、ラッチ要素１１０を持たない前面１０１へと接続することができる。駆動システムへの回転防止接続のために、ケージ１５０は、例えば前面１０１上の突起の形態のいくつかの回転防止要素１８０を有することができる。
【００５７】
本発明によれば、モジュール１００が前面１０１にラッチ要素１１０を有するが、後面１０２に受け入れ要素１２０を持たないことも考えられる。そのようなモジュール１００は、長手軸ＬＡに沿って直線的に並べて接続されたモジュール１００の列において、図４に示すケージ１５０とは反対側の端部の終端モジュールを形成することができる。
【００５８】
図５は、本発明による駆動システム２００の概略図を示している。図示の駆動システム２００は、長手軸ＬＡに沿って直線的に並べて配置されたいくつかのモジュール１００を備える。各々のモジュール１００は、駆動システム２００の少なくとも１つの機能グループ１７０を備える。
【００５９】
例えば、長手軸ＬＡに沿ったモジュール１００の順序による第１のモジュール１００は、例えば電気モータなどのモータ１７１と、特にはモータ１７１に適合したトランスミッション１７２とを含む。第２のモジュール１００は、例えばクラッチ１７３を備え、とりわけ駆動システム２００によって駆動されるドア（図示せず）、特には車両のドア、あるいは駆動システム２００をドアへと接続するボールスタッドなどの接続要素（図示せず）を、過負荷から保護するための過負荷クラッチを備える。
【００６０】
本発明による駆動システム２００を、特に有利には、負荷がドア、接続要素、および駆動システム２００によって損傷を生じることなく吸収できる最大負荷よりも小さいときに過負荷クラッチが作動するように設計することができる。さらに、駆動システム２００は、有利には、その最大負荷がドアおよび接続要素へのそれぞれの最大負荷よりも小さくなるように設計される。これは、故障または不適当な動作の場合に、ドアまたは接続要素が損傷するのではなく、むしろ一般的に交換がより容易である駆動システム２００だけが損傷することを保証する。
【００６１】
第３のモジュール１００は、例えばブレーキ１７４を含み、例えばディスクブレーキを含む。第４のモジュールは、例えば、駆動システム２００の振動を減衰させるための弾性継手などのさらなる継手１７３を備え、あるいは駆動システム２００からブレーキ１７４を分離するためのタペットを備える。第５のモジュール１００は、例えば、特には長手軸ＬＡに平行に作用する力を吸収するためのベアリング１７５と、ドア（図示せず）を動かすためのねじスピンドル１７６とを備える。本発明の技術的範囲において、機能グループ１７０の他の配置も考えられる。
【００６２】
図６は、本発明による製造方法３００の概略図を示している。図示の製造方法３００は、例えば、駆動システム２００の一般的な機能グループ１７０をモジュール１００のケージ１５０に組み込むことによるモジュール１００の製造３１０を含み、ケージ１５０は、例えば射出成形によって製造される。製造３１０は、例えばＱＲコード（登録商標）などの個別のマークによる製造された各々のモジュール１００のマーキング３１１を含むことができる。図示の例においては、製造３１０の後に、特には２４時間を超える保管期間にわたるモジュール１００の保管３２０が続く。
【００６３】
例えば、レーザ走査によるモジュール１００の試験３３０が、例えば、保管３２０に続くことができる。試験３３０の結果を文書化し、例えばマークに基づいて、特定のモジュール１００に割り当てることができる。
【００６４】
試験３３０によってモジュール１００がそれぞれの仕様を満たしていることが示された場合に、モジュール１００の駆動システム２００への組み立て３４０を行うことができる。試験３３０においてモジュール１００がその仕様を満たさないことが明らかになった場合、仕様が満たされるまで、モジュール１００に対して再加工３３１および再試験３３０を実行することができる。
【００６５】
図７は、長手軸ＬＡに沿って並べて配置された４つのモジュール１００を備える本発明による駆動システム２００の概略図を示しており、分かりやすくするために、ケージ１５０ａ、１５０ｂ、１５０ｃのみが図示されている。第１のケージ１５０ａは、例えば、駆動システムのハウジング（図示せず）の内壁上に配置するための平坦な後面１０２を有する。後面１０２の反対側の前面において、第１のケージ１５０ａは、第２のケージ１５０ｂの後面の受け入れ要素１２０に係合し、特にはこの係合によって第２のケージ１５０ｂの第１のケージ１５０ａに対する回転を防止するいくつかのラッチ要素１１０を有する。
【００６６】
第２のケージ１５０ｂおよび隣接する第３のケージ１５０ｂは、例えば、図３に示すケージ１５０と同じ方法で構成される。長手軸ＬＡに沿って、第３のケージ１５０ｂの後に、例えば図４に示すケージ１５０のように構成される第４のケージ１５０ｃが続く。第２のケージ１５０ｂ、第３のケージ１５０ｂ、および第４のケージ１５０ｃは、第２のケージ１５０ｂおよび第３のケージ１５０ｂの前面のラッチ要素１１０と、第３のケージ１５０ｂおよび第４のケージ１５０ｃの後面の受け入れ要素１２０によって互いに接続される。ラッチ要素１１０は、例えば、ケージ１５０ｂ、１５０ｃが長手軸ＬＡに沿った機械的遊びを伴って互いに確実に接続されるように、受け入れ要素１２０に係合する。機械的遊びゆえに、駆動要素２００が組み立てられるときに、ラッチ要素１１０を受け入れ要素１２０に容易に挿入することができる。
【符号の説明】
【００６７】
１００  モジュール
１０１  前面
１０２  後面
１１０  ラッチ要素
１２０  受け入れ要素
１５０  ケージ
１６０  所定の破壊点
１７０  機能グループ
１７１  モータ
１７２  トランスミッション
１７３  クラッチ
１７４  ブレーキ
１７５  ベアリング
１７６  ねじスピンドル
１８０  回転防止要素
２００  駆動システム
３００  製造方法
３１０  製造
３１１  マーキング
３２０  保管
３３０  試験
３３１  後処理
３４０  組み立て
ＡＫ  軸力
ＬＡ  長手軸
ＲＫ  半径方向力
【図１】
2021501843.tif 000003
【図２】
2021501843.tif 000004
【図３ａ】
2021501843.tif 000005
【図３ｂ】
2021501843.tif 000006
【図３ｃ】
2021501843.tif 000007
【図４ａ】
2021501843.tif 000008
【図４ｂ】
2021501843.tif 000009
【図４ｃ】
2021501843.tif 000010
【図５】
2021501843.tif 000011
【図６】
2021501843.tif 000012
【図７】
2021501843.tif 000013
【国際調査報告】
2021501843.tif 000014
2021501843.tif 000015
2021501843.tif 000016
2021501843.tif 000017
2021501843.tif 000018
2021501843.tif 000019
2021501843.tif 000020
2021501843.tif 000021